(57)【要約】【課題】システムに影響を与えることなく個々の汎用表示手段が必要とする条件で表示が可能な画像表示システムを実現する。【解決手段】画像入力装置によって撮影された対象物の画像をネットワーク経由で伝送した後個々の汎用表示手段で表示させる画像表示システムにおいて、撮影した画像を前記ネットワーク経由で送信すると共に画像を蓄積する画像伝送手段と、表示可能な表示条件、或いは、必要とする表示条件に基づき前記ネットワーク経由で受信した前記画像を画像処理して表示させる前記汎用表示手段とを設ける。【選択図】　　　　　　　　　　図１
2004077978.tif 000002
【特許請求の範囲】
【請求項１】
画像入力装置によって撮影された対象物の画像をネットワーク経由で伝送した後個々の汎用表示手段で表示させる画像表示システムにおいて、
撮影した画像を前記ネットワーク経由で送信すると共に画像を蓄積する画像伝送手段と、
表示可能な表示条件、或いは、必要とする表示条件に基づき前記ネットワーク経由で受信した前記画像を画像処理して表示させる前記汎用表示手段と
を備えたことを特徴とする画像表示システム。
【請求項２】
前記画像伝送手段が、
前記画像を撮影するカメラと、
このカメラの撮影した前記画像を蓄積する画像蓄積装置とから構成されたことを特徴とする
請求項１記載の画像表示システム。
【請求項３】
前記汎用表示手段が、
複数の表示条件に基づき前記画像を画像処理して同一画面で複数の画像を表示させることを特徴とする
請求項１記載の画像表示システム。
【請求項４】
前記汎用表示手段が、
表示画面上に複数の画像の一覧を表示させこの一覧から任意の画像を選択させて表示させることを特徴とする
請求項３記載の画像表示システム。
【請求項５】
前記汎用表示手段が、
マルチウィンドウ画面を用いて表示画面上に複数の画像を同時に表示させることを特徴とする
請求項３記載の画像表示システム。
【請求項６】
前記汎用表示手段が、
他の汎用表示手段との間で画像処理パラメータを共有することを特徴とする
請求項１記載の画像表示システム。
【請求項７】
前記汎用表示手段が、
前記他の汎用表示手段に対して画像処理パラメータを提示し、この画像処理パラメータに基づき前記他の汎用表示手段が画像処理を行うことを特徴とする
請求項６記載の画像表示システム。
【請求項８】
前記汎用表示手段が、
コンピュータであることを特徴とする
請求項３乃至請求項７のいずれかに記載の画像表示システム。
【請求項９】
前記汎用表示手段が、
携帯情報端末であることを特徴とする
請求項３乃至請求項７のいずれかに記載の画像表示システム。
【請求項１０】
前記汎用表示手段が、
通信端末であることを特徴とする
請求項３乃至請求項７のいずれかに記載の画像表示システム。
【請求項１１】
防犯カメラシステムに適用したことを特徴とする
請求項１乃至請求項１０のいずれかに記載の画像表示システム。
【請求項１２】
発車時安全確認用カメラシステムに適用したことを特徴とする
請求項１乃至請求項１０のいずれかに記載の画像表示システム。
【請求項１３】
屋外固定カメラシステムに適用したことを特徴とする
請求項１乃至請求項１０のいずれかに記載の画像表示システム。
【請求項１４】
道路監視システムに適用したことを特徴とする
請求項１乃至請求項１０のいずれかに記載の画像表示システム。
【発明の詳細な説明】
【０００１】
【発明の属する技術分野】
本発明は、カメラ等の画像入力装置によって撮影された対象物の画像をネットワーク経由で伝送した後個々の汎用表示手段で表示させる画像表示システムに関し、特にシステムに影響を与えることなく個々の汎用表示手段が必要とする条件で表示が可能な画像表示システムに関する。
【０００２】
【従来の技術】
従来の画像表示システムは、遠隔地に設置されたカメラ等の画像入力装置によって撮影された対象物の画像を当該画像入力装置側で画像処理した後ネットワーク経由で個々の汎用表示手段に伝送し、個々の汎用表示手段は処理済の画像を受信して表示していた。
【０００３】
図４はこのような従来の画像表示システムの一例を示す構成ブロック図である。図４において１は画像入力装置であり画像処理機能を備えたカメラ、２はサーバ等の画像情報を蓄積するための画像蓄積装置、３，４及び５は汎用表示手段であるコンピュータ、１００はネットワークである。また、１及び２は画像伝送手段５０を構成している。
【０００４】
画像伝送手段５０を構成するカメラ１及び画像蓄積装置２はネットワーク１００に接続され、汎用表示手段であるコンピュータ３，４及び５もまたネットワーク１００に接続される。
【０００５】
ここで，図４に示す従来例の動作を図５を用いて説明する。図５は画像伝送手段５０の動作を説明するフロー図である。
【０００６】
図５中”Ｓ００１”において画像伝送手段５０はカメラ１により画像を取得したか否かを判断し、もし、画像を取得した場合には、図５中”Ｓ００２”において画像伝送手段５０はカメラ１により適宜必要な画像処理を行い、図５中”Ｓ００３”において画像蓄積装置２に蓄積する。
【０００７】
例えば、カメラ１は画像処理機能により撮影した画像を天候、日照条件等の環境変化に基づき画像処理してネットワーク経由で直接汎用表示手段に送信したり、或いは、画像蓄積装置２に必要に応じて蓄積する。
【０００８】
一方、図５中”Ｓ００１”において、もし、画像を取得していない場合には、図５中”Ｓ００４”において画像伝送手段５０はネットワーク１００に接続された個々の汎用表示手段（コンピュータ３〜５）からの画像要求の有無を判断する。
【０００９】
もし、画像要求がない場合には図５中”Ｓ００１”のステップに戻り、もし、画像要求があった場合には図５中”Ｓ００５”において画像伝送手段５０は画像蓄積装置２に蓄積された処理済みの画像、若しくは、カメラ１から出力される処理済の画像を要求のあった汎用表示手段（コンピュータ３〜５）に送信する。
【００１０】
例えば、画像伝送手段５０は、画像要求のあった汎用表示手段（コンピュータ３〜５）の表示能力で表示可能な明るさ、コントラスト、画像サイズ、解像度、表示色数及びデータサイズ等の表示条件に基づき画像処理した画像を図５中”ＳＤ０１”に示すように汎用表示手段（コンピュータ３〜５）に送信する。
【００１１】
一方、画像を受信した汎用表示手段（コンピュータ３〜５）はＣＲＴ（Ｃａｔｈｏｄｅ　Ｒａｙ　Ｔｕｂｅ　、ＬＣＤ（Ｌｉｑｕｉｄ　Ｃｒｙｓｔａｌ　Ｄｉｓｐｌａｙ　、プラズマディプレイ等の自らの表示装置の表示画面上に受信した画像をそのまま表示させる。
【００１２】
この結果、画像伝送装置５０で撮影した画像を適宜画像処理して汎用表示手段であるコンピュータ３〜５に送信することにより、汎用表示手段側では何ら画像処理をすることなく画像伝送手段５０（カメラ１）で撮影された画像を表示させることが可能になる。
【００１３】
【発明が解決しようとする課題】
しかし、図４に示す従来例では、多数の汎用表示手段を有するシステムを構築した場合、全ての汎用表示手段に適合した画像処理をして出力、若しくは、画像蓄積装置２に蓄積することは画像伝送手段５０側の負荷が増大し、画像伝送手段５０を構成する装置に要求されるスペックが高スペックになってしまうと言った問題点があった。
【００１４】
また、画像蓄積装置２に画像を蓄積するシステム構成では画像蓄積装置２に蓄積されている画像を既に画像処理済みの画像であるため、カメラ１で撮影された元の画像が存在しない恐れがあり、必要に応じて汎用表示手段側で表示条件を適宜変更することができないと言った問題点があった。
【００１５】
また、画像入力装置として広ダイナミックレンジのカメラを用いた場合、多くの情報を圧縮（切り捨て）して表示させる場合、その圧縮条件（表示条件）によって様々な画像を表示させることが可能になるが、一旦、圧縮（情報が劣化）した画像は必要に応じて適宜圧縮条件を変更できないため、必要に応じて汎用表示手段側で圧縮条件（表示条件）を適宜変更することができないと言った問題点があった。
従って本発明が解決しようとする課題は、システムに影響を与えることなく個々の汎用表示手段が必要とする条件で表示が可能な画像表示システムを実現することにある。
【００１６】
【課題を解決するための手段】
このような課題を達成するために、本発明のうち請求項１記載の発明は、
画像入力装置によって撮影された対象物の画像をネットワーク経由で伝送した後個々の汎用表示手段で表示させる画像表示システムにおいて、
撮影した画像を前記ネットワーク経由で送信すると共に画像を蓄積する画像伝送手段と表示条件、表示可能な表示条件、或いは、必要とする表示条件に基づき前記ネットワーク経由で受信した前記画像を画像処理して表示させる前記汎用表示手段とを備えたことにより、画像伝送手段側の負荷が軽減され、画像伝送手段を構成する装置に高スペックが要求されなくなる。また、必要に応じて汎用表示手段側で表示条件を適宜変更することが可能になる。特に、画像入力装置として広ダイナミックレンジのカメラを用いた場合であっても、必要に応じて汎用表示手段側で圧縮条件（表示条件）を適宜変更することが可能になる。
【００１７】
請求項２記載の発明は、
請求項１記載の発明である画像表示システムにおいて、
前記画像伝送手段が、
前記画像を撮影するカメラと、このカメラの撮影した前記画像を蓄積する画像蓄積装置とから構成されたことにより、画像伝送手段側の負荷が軽減され、画像伝送手段を構成する装置に高スペックが要求されなくなる。また、必要に応じて汎用表示手段側で表示条件を適宜変更することが可能になる。特に、画像入力装置として広ダイナミックレンジのカメラを用いた場合であっても、必要に応じて汎用表示手段側で圧縮条件（表示条件）を適宜変更することが可能になる。
【００１８】
請求項３記載の発明は、
請求項１記載の発明である画像表示システムにおいて、
前記汎用表示手段が、
複数の表示条件に基づき前記画像を画像処理して同一画面で複数の画像を表示させることにより、画像伝送手段側の負荷が軽減され、画像伝送手段を構成する装置に高スペックが要求されなくなる。また、必要に応じて汎用表示手段側で表示条件を適宜変更することが可能になる。特に、画像入力装置として広ダイナミックレンジのカメラを用いた場合であっても、必要に応じて汎用表示手段側で圧縮条件（表示条件）を適宜変更することが可能になる。
【００１９】
請求項４記載の発明は、
請求項３記載の発明である画像表示システムにおいて、
前記汎用表示手段が、
表示画面上に複数の画像の一覧を表示させこの一覧から任意の画像を選択させて表示させることにより、画像伝送手段側の負荷が軽減され、画像伝送手段を構成する装置に高スペックが要求されなくなる。また、必要に応じて汎用表示手段側で表示条件を適宜変更することが可能になる。特に、画像入力装置として広ダイナミックレンジのカメラを用いた場合であっても、必要に応じて汎用表示手段側で圧縮条件（表示条件）を適宜変更することが可能になる。
【００２０】
請求項５記載の発明は、
請求項３記載の発明である画像表示システムにおいて、
前記汎用表示手段が、
マルチウィンドウ画面を用いて表示画面上に複数の画像を同時に表示させることにより、画像伝送手段側の負荷が軽減され、画像伝送手段を構成する装置に高スペックが要求されなくなる。また、必要に応じて汎用表示手段側で表示条件を適宜変更することが可能になる。特に、画像入力装置として広ダイナミックレンジのカメラを用いた場合であっても、必要に応じて汎用表示手段側で圧縮条件（表示条件）を適宜変更することが可能になる。
【００２１】
請求項６記載の発明は、
請求項１記載の発明である画像表示システムにおいて、
前記汎用表示手段が、
他の汎用表示手段との間で画像処理パラメータを共有することにより、画像伝送手段側の負荷が軽減され、画像伝送手段を構成する装置に高スペックが要求されなくなる。また、必要に応じて汎用表示手段側で表示条件を適宜変更することが可能になる。特に、画像入力装置として広ダイナミックレンジのカメラを用いた場合であっても、必要に応じて汎用表示手段側で圧縮条件（表示条件）を適宜変更することが可能になる。
【００２２】
請求項７記載の発明は、
請求項６記載の発明である画像表示システムにおいて、
前記汎用表示手段が、
前記他の汎用表示手段に対して画像処理パラメータを提示し、この画像処理パラメータに基づき前記他の汎用表示手段が画像処理を行うことにより、画像伝送手段側の負荷が軽減され、画像伝送手段を構成する装置に高スペックが要求されなくなる。また、必要に応じて汎用表示手段側で表示条件を適宜変更することが可能になる。特に、画像入力装置として広ダイナミックレンジのカメラを用いた場合であっても、必要に応じて汎用表示手段側で圧縮条件（表示条件）を適宜変更することが可能になる。
【００２３】
請求項８記載の発明は、
請求項３乃至請求項７のいずれかに記載の発明である画像表示システムにおいて、
前記汎用表示手段が、
コンピュータであることにより、画像伝送手段側の負荷が軽減され、画像伝送手段を構成する装置に高スペックが要求されなくなる。また、必要に応じて汎用表示手段側で表示条件を適宜変更することが可能になる。特に、画像入力装置として広ダイナミックレンジのカメラを用いた場合であっても、必要に応じて汎用表示手段側で圧縮条件（表示条件）を適宜変更することが可能になる。
【００２４】
請求項９記載の発明は、
請求項３乃至請求項７のいずれかに記載の発明である画像表示システムにおいて、
前記汎用表示手段が、
携帯情報端末であることにより、画像伝送手段側の負荷が軽減され、画像伝送手段を構成する装置に高スペックが要求されなくなる。また、必要に応じて汎用表示手段側で表示条件を適宜変更することが可能になる。特に、画像入力装置として広ダイナミックレンジのカメラを用いた場合であっても、必要に応じて汎用表示手段側で圧縮条件（表示条件）を適宜変更することが可能になる。
【００２５】
請求項１０記載の発明は、
請求項３乃至請求項７のいずれかに記載の発明である画像表示システムにおいて、
前記汎用表示手段が、
通信端末であることにより、画像伝送手段側の負荷が軽減され、画像伝送手段を構成する装置に高スペックが要求されなくなる。また、必要に応じて汎用表示手段側で表示条件を適宜変更することが可能になる。特に、画像入力装置として広ダイナミックレンジのカメラを用いた場合であっても、必要に応じて汎用表示手段側で圧縮条件（表示条件）を適宜変更することが可能になる。
【００２６】
請求項１１記載の発明は、
請求項１乃至請求項１０のいずれかに記載の発明である画像表示システムにおいて、
防犯カメラシステムに適用したことにより、画像伝送手段側の負荷が軽減され、画像伝送手段を構成する装置に高スペックが要求されなくなる。また、必要に応じて汎用表示手段側で表示条件を適宜変更することが可能になる。特に、画像入力装置として広ダイナミックレンジのカメラを用いた場合であっても、必要に応じて汎用表示手段側で圧縮条件（表示条件）を適宜変更することが可能になる。
【００２７】
請求項１２記載の発明は、
請求項１乃至請求項１０のいずれかに記載の発明である画像表示システムにおいて、
発車時安全確認用カメラシステムに適用したことにより、画像伝送手段側の負荷が軽減され、画像伝送手段を構成する装置に高スペックが要求されなくなる。また、必要に応じて汎用表示手段側で表示条件を適宜変更することが可能になる。特に、画像入力装置として広ダイナミックレンジのカメラを用いた場合であっても、必要に応じて汎用表示手段側で圧縮条件（表示条件）を適宜変更することが可能になる。
【００２８】
請求項１３記載の発明は、
請求項１乃至請求項１０のいずれかに記載の発明である画像表示システムにおいて、
屋外固定カメラシステムに適用したことにより、画像伝送手段側の負荷が軽減され、画像伝送手段を構成する装置に高スペックが要求されなくなる。また、必要に応じて汎用表示手段側で表示条件を適宜変更することが可能になる。特に、画像入力装置として広ダイナミックレンジのカメラを用いた場合であっても、必要に応じて汎用表示手段側で圧縮条件（表示条件）を適宜変更することが可能になる。
【００２９】
請求項１４記載の発明は、
請求項１乃至請求項１０のいずれかに記載の発明である画像表示システムにおいて、
道路監視システムに適用したことにより、画像伝送手段側の負荷が軽減され、画像伝送手段を構成する装置に高スペックが要求されなくなる。また、必要に応じて汎用表示手段側で表示条件を適宜変更することが可能になる。特に、画像入力装置として広ダイナミックレンジのカメラを用いた場合であっても、必要に応じて汎用表示手段側で圧縮条件（表示条件）を適宜変更することが可能になる。
【００３０】
【発明の実施の形態】
以下本発明を図面を用いて詳細に説明する。図１は本発明に係る画像表示システムの一実施例を示す構成ブロック図である。
【００３１】
図１において６は画像入力装置であるカメラ、７はサーバ等の画像情報を蓄積するための画像蓄積装置、８及び１１は汎用表示手段であるＰＤＡ（Ｐｅｒｓｏｎａｌ　Ｄｉｇｉｔａｌ（Ｄａｔａ）　Ａｓｓｉｓｔａｎｔｓ）等の携帯情報端末（以下、単にＰＤＡと呼ぶ。）、９及び１０は汎用表示手段であるコンピュータ、１２は汎用表示手段である携帯電話やＰＨＳ（Ｐｅｒｓｏｎａｌ　Ｈａｎｄｙｐｈｏｎｅ　Ｓｙｓｔｅｍ：簡易型携帯電話　）等の通信端末（以下、単に携帯電話と呼ぶ。）、１０１はネットワークである。また、６及び７は画像伝送手段５１を構成している。
【００３２】
画像伝送手段５１を構成するカメラ６及び画像蓄積装置７はネットワーク１０１に接続され、汎用表示手段であるＰＤＡ８、コンピュータ９、コンピュータ１０、ＰＤＡ１１及び携帯電話１２もまたネットワーク１０１に接続される。
【００３３】
ここで、図１に示す実施例の動作を図２及び図３を用いて説明する。図２は画像伝送手段５１の動作を説明するフロー図、図３は個々の汎用表示手段（コンピュータ、ＰＤＡ及び携帯電話等）の動作を説明するフロー図である。
【００３４】
図２中”Ｓ１０１”において画像伝送手段５１はカメラ６により画像を取得したか否かを判断し、もし、画像を取得した場合には、図２中”Ｓ１０２”において取得した画像をそのまま画像蓄積装置７に蓄積する。
【００３５】
例えば、カメラ６は取得した画像をネットワーク経由で直接汎用表示手段に送信したり、或いは、画像蓄積装置２に必要に応じて蓄積する。
【００３６】
一方、図２中”Ｓ１０１”において、もし、画像を取得していない場合には、図２中”Ｓ１０３”において画像伝送手段５１はネットワーク１０１に接続された個々の汎用表示手段（コンピュータ、ＰＤＡ及び携帯電話等）からの画像要求の有無を判断する。
【００３７】
もし、画像要求がない場合には図２中”Ｓ１０１”のステップに戻り、もし、画像要求があった場合には図２中”Ｓ１０４”において画像伝送手段５１は画像蓄積装置７に蓄積された画像、若しくは、カメラ６から出力される画像を図１中”ＳＤ１１”に示すように要求のあった汎用表示手段（コンピュータ、ＰＤＡ及び携帯電話等）に送信する。
【００３８】
例えば、画像伝送手段５１は、画像要求のあった汎用表示手段（コンピュータ、ＰＤＡ及び携帯電話等）の表示能力に関わりなくカメラ６で撮影した生の画像をそのまま汎用表示手段（コンピュータ、ＰＤＡ及び携帯電話等）に送信する。
【００３９】
一方、図３中”Ｓ２０１”において汎用表示手段（コンピュータ、ＰＤＡ及び携帯電話等）は画像伝送手段５１から画像を受信したか否かを判断し、もし、画像を受信しなかった場合には図３中”Ｓ２０１”のステップに戻る。
【００４０】
そして、もし、画像を受信した場合には、図３中”Ｓ２０２”において汎用表示手段（コンピュータ、ＰＤＡ及び携帯電話等）は各汎用表示手段で表示可能な表示条件、或いは、必要とする表示条件に基づき受信した画像を画像処理し、図３中”Ｓ２０３”においてＣＲＴ（Ｃａｔｈｏｄｅ　Ｒａｙ　Ｔｕｂｅ　、ＬＣＤ（Ｌｉｑｕｉｄ　Ｃｒｙｓｔａｌ　Ｄｉｓｐｌａｙ　、プラズマディプレイ等の自らの表示装置の表示画面上に画像処理した画像を表示させる。
【００４１】
例えば、コントラスト、画像サイズ、解像度、表示色数及びデータサイズ等の表示条件によって受信した生の画像を画像処理して表示画面上に表示させる。
【００４２】
この結果、画像伝送手段５１で撮影した画像を画像処理することなくそのまま汎用表示手段であるＰＤＡ８、コンピュータ９、コンピュータ１０、ＰＤＡ１１及び携帯電話１２に送信し、各汎用表示手段側で各汎用表示手段で表示可能な表示条件、或いは、必要とする表示条件に基づき受信した画像を画像処理して表示させることにより、画像伝送手段５１側の負荷が軽減され、画像伝送手段５１を構成する装置に高スペックが要求されなくなる。
【００４３】
また、常に、汎用表示手段ではカメラ６で撮影した生の画像を受信できるので、必要に応じて汎用表示手段側で表示条件を適宜変更することが可能になる。特に、画像入力装置として広ダイナミックレンジのカメラを用いた場合であっても、必要に応じて汎用表示手段側で圧縮条件（表示条件）を適宜変更することが可能になる。
【００４４】
なお、図１に示す実施例では画像伝送手段５１から受信した生の画像を１つの表示条件に基づき画像処理して表示しているが、複数の表示条件で画像処理した複数の画像を同一画面で複数枚表示したりすることも可能である。
【００４５】
例えば、表示画面上に複数の画像の一覧を表示させ、当該一覧から任意の画像を選択させて表示させたり、マルチウィンドウ画面を用いて複数の画像を同時に表示させることが可能になる。
【００４６】
この場合には、汎用表示手段で複数の表示条件で画像処理した画像を確認することが可能になるので、画像の解析等が容易になる。
【００４７】
また、図１に示す実施例では各汎用表示手段が画像処理した画像を個々の汎用表示手段で独占的に使用しているが、他の汎用表示手段との間で画像処理パラメータを共有しても構わない。
【００４８】
例えば、画像処理をした汎用表示手段から他の汎用表示手段に対して表示条件（圧縮条件）等の画像処理パラメータを提示し、この画像処理パラメータに基づき他の汎用表示手段が画像処理をすることにより、汎用表示手段と他の汎用表示手段で同一処理条件の画像を表示させることが可能になる。
【００４９】
また、図１に示す実施例では、コントラスト、画像サイズ、解像度、表示色数及びデータサイズ等の表示条件に基づき生の画像を画像処理する旨例示しているが、勿論、画像からの物体の抽出、顔の認識等の画像認識処理を行っても構わない。
【００５０】
また、図１に示す実施例を防犯カメラシステムに適用しても構わない。すなわち、侵入者や異常の検知をするセンサからの警報等があった場合、画像伝送手段から受信した生の画像を予め設定された表示条件に基づき画像処理してリアルタイムで表示すると共に画像を画像蓄積装置に記録保存する。
【００５１】
この時、もし、リアルタイムで表示される画像の表示条件が不適切であり、侵入者や異常等を認識できなかった場合には、画像蓄積装置に蓄積されている生の画像を画像認識に適した表示条件で画像処理した上で表示することにより、侵入者や異常等を認識が容易になる。
【００５２】
また、図１に示す実施例を列車の発車時安全確認用カメラシステムに適用しても構わない。すなわち、列車の停車、若しくは、発車時の安全確認用に設置したカメラからの生の画像を様々な表示条件で画像処理して表示することが可能になる。
【００５３】
例えば、表示条件を変化させ、太陽光等の影響で物体の輪郭のコントラストは高いものの細部が見えにくい画像、物体のコントラストは低いが細部まで見える画像等の画像を同時に表示させることにより、列車の発車時安全確認が容易になる。また、例えば、物体認識処理により異物の発見及び表示等が可能な画像を同時に表示させても構わない。
【００５４】
また、図１に示す実施例を屋外固定カメラシステムに適用しても構わない。すなわち、インターネット等を利用した景勝地の画像を遠隔地から表示・確認する場合、汎用表示手段としてはコンピュータ、ＰＤＡ及び携帯電話等の様々な機器が想定されるが、図１に示す実施例を適用することにより、屋外固定カメラ側では汎用表示手段の能力等を考慮する必要性がなくなる。
【００５５】
また、図１に示す実施例を道路監視システムに適用しても構わない。すなわち、同一の未処理の画像から様々な処理結果を複数の表示手段で表示させたり、若しくは、表示条件を変更することにより、太陽光や車両のヘッドライト等の影響が低い画像を表示させ、事故の有無、渋滞、落下物の有無、避走等の事象検知を素早く行うことが可能になる。
【００５６】
また、同一の未処理の画像から様々な画像認識処理を行わせることにより、事象の自動検出、車両の通過台数の自動計測、車両速度の自動計測等の情報を表示させることができて道路の保安性が向上する。
【００５７】
【発明の効果】
以上説明したことから明らかなように、本発明によれば次のような効果がある。
請求項１，２，３，４，５，６，７，８，９，１０，１１，１２，１３及び請求項１４の発明によれば、画像伝送手段で撮影した画像を画像処理することなくそのまま汎用表示手段に送信し、各汎用表示手段側で各汎用表示手段で表示可能な表示条件、或いは、必要とする表示条件に基づき受信した画像を画像処理して表示させることにより、画像伝送手段側の負荷が軽減され、画像伝送手段を構成する装置に高スペックが要求されなくなる。また、必要に応じて汎用表示手段側で表示条件を適宜変更することが可能になる。特に、画像入力装置として広ダイナミックレンジのカメラを用いた場合であっても、必要に応じて汎用表示手段側で圧縮条件（表示条件）を適宜変更することが可能になる。
【図面の簡単な説明】
【図１】本発明に係る画像表示システムの一実施例を示す構成ブロック図である。
【図２】画像伝送手段の動作を説明するフロー図である。
【図３】汎用表示手段の動作を説明するフロー図である。
【図４】従来の画像表示システムの一例を示す構成ブロック図である。
【図５】画像伝送手段の動作を説明するフロー図である。
【符号の説明】
１，６　カメラ
２，７　画像蓄積装置
３，４，５，９，１０　コンピュータ
８，１１　携帯情報端末
１２　通信端末
５０，５１　画像伝送手段
１００，１０１　ネットワーク
【図１】
2004077978.tif 000003
【図２】
2004077978.tif 000004
【図３】
2004077978.tif 000005
【図４】
2004077978.tif 000006
【図５】
2004077978.tif 000007